(57)【要約】【課題】  水汲み作業の際に、バケツ本体の開口部が水中の障害物や岩場等との接触や引掛かりを生じることがなく、且つ、引紐を持つ手を痛めたり、バランスを崩して転倒する危険性を低減できる、水の抵抗が小さい、水汲み作業性、耐久性に優れた、水汲みバケツの提供。【解決手段】  合成樹脂シートで形成され上端に開口部を有するバケツ本体と、前記開口部近傍に取着される締紐と、前記開口部を補強する補強手段とを備えた水汲みバケツにおいて、補強手段は、少なくとも一部に柔軟性の可撓部を有し、水の汲み上げ時において可撓部が変形して開口部が縮径状態となる水汲みバケツを解決手段とする。【選択図】  図１
2010149926.tif 000002
【特許請求の範囲】
【請求項１】
合成樹脂シートで形成され上端に開口部を有するバケツ本体と、前記開口部近傍に取着される締紐と、前記開口部を補強する補強手段とを備えた水汲みバケツにおいて、
前記補強手段は、少なくとも一部に柔軟性の可撓部を有し、水の汲み上げ時において可撓部が変形して開口部が縮径状態となることを特徴とする水汲みバケツ。
【請求項２】
補強手段は、棒状の枠材と、該枠材に連結し可撓部となる可撓性管体とを備え、枠材と可撓性管体との連結構成が、前記棒状の枠材を前記可撓性管体の穴内に嵌合した構成であることを特徴とする請求項１記載の水汲みバケツ。
【請求項３】
開口部は、平面視輪郭が多角形であり、補強手段は、可撓部となる可撓性線材を備え、
開口部の平面視輪郭の角部を形成する可撓性線材を前記多角形を構成する一辺の中央部に達しない第一可撓性線材とし、
隣り合う第一可撓性線材間に隙間を形成し、
該隙間を塞ぎ且つ前記隣り合う二本の可撓性線材に沿って第二可撓性線材を配置した構成を備えることを特徴とする請求項１記載の水汲みバケツ。
【請求項４】
補強手段は、開口部を構成する構成生地の上端を折返し重合した可撓部となる可撓性重合部を備え、該可撓性重合部は一定間隔で形成される切欠部を備えたことを特徴とする請求項１、２又は３記載の水汲みバケツ。
【請求項５】
補強手段は、開口部を構成する構成生地の上端を他の構成生地で挟持重合した可撓部となる可撓性重合部を備え、該可撓性重合部は一定間隔で形成される切欠部を備えたことを特徴とする請求項１、２又は３記載の水汲みバケツ。
【請求項６】
補強手段は、開口部を構成する構成生地の上端縁部に外径方向に突出した可撓部となるエッジ部を備える請求項１に記載の水汲みバケツ。
【請求項７】
エッジ部は、開口部を構成する構成生地の上端縁部を略Ｌ字状に折曲させ、当該折曲箇所の上方から略同様の構成生地を重合し固着した可撓性重合部とする請求項６に記載の水汲みバケツ。
【請求項８】
エッジ部は、開口部を構成する構成生地の上端縁部に略同様の構成生地を重合し固着した可撓性重合部とする請求項６に記載の水汲みバケツ。
【請求項９】
開口部縁部若しくはバケツ本体を構成する構成生地に錘を備える請求項１乃至請求項８のいずれか１項に記載の水汲みバケツ。
【発明の詳細な説明】
【技術分野】
【０００１】
本発明は、高所から水中へバケツ本体を投下し、付属の引紐を手繰り寄せることで水汲みを行う、水汲み用バケツに関する。
【背景技術】
【０００２】
水汲みバケツは、手洗い、水遊び、釣りでの餌の調製や物品の洗浄等、水が必要となった際に、水を海や河川等から汲み取るものである。使用に際しては、バケツ本体を水中へ投下し、バケツ本体内に水が満たされた後、バケツ本体に付属された引紐を手繰り寄せる操作を行う。ところが、バケツ本体の開口部が水中の障害物や岩場等と接触したり、引掛かったりすることがあり、不便である上に、バケツ本体の破損や消耗も大きくなる欠点があった。また、水中では水の流れや波等があり、開口部が全開の状態では、非常に強い力で引っ張られることがあり、引紐を持つ手を痛めたり、バランスを崩して転倒する危険性もある。
【０００３】
このような欠点を解消すべく、容器を引き上げた際に容器の開口部が閉じる構造を備えたものとして、例えば、上方が開口した実質的に柱状の容器本体の側壁の開口側周縁近傍に、該側壁の全周に沿って四つの穿孔が順に設けられており、そのうち二つの穿孔には第一紐が挿通され、かつ、残る二つの穿孔には第二紐が挿通されており、前記第一紐の一端と第二紐の一端が繋がって連結部５が形成されており、第一紐の他端及び第二紐の他端には、前記穿孔の内径よりも大きな外径を有する二つの止め部がそれぞれ設けられており、前記容器本体に水が入った状態で前記連結部を引っ張った際に、前記容器本体の側壁が変形して該容器本体の開口部が実質的に直線状となって閉塞可能である釣用容器が公知である（例えば、特許文献１参照。）。
【０００４】
また、容器の開口部が閉塞する構成を備えたものではないが、合成樹脂のシ−トで形成された釣り用バケツにおいて、容器体の開口部を、前記容器体を形成するシ−トより厚い厚みを有し、前記開口部の内側から外側へ湾曲状に成形したカバ−体で覆い、容器体は、開口部に沿ってフレ−ムを有し、前記湾曲状に成形したカバ−体はフレ−ムの外径より大きな内径を有し、前記フレ−ムを覆っている釣り用バケツが公知である（例えば、特許文献２参照。）。
【先行技術文献】
【特許文献】
【０００５】
【特許文献１】特開平１０−１０８６０６号公報
【特許文献２】特開２００５−２０４５５１号公報
【発明の概要】
【発明が解決しようとする課題】
【０００６】
上記特許文献１に係る発明は、容器本体の開口部が実質的に直線状となって閉塞する。このため、バケツ本体の開口部が水中の障害物や岩場等と接触したり、引掛かったりすることを、ある程度解消できる。また、当該特許文献１には開示されていないものの、開口部が閉塞することで、引紐を手繰り寄せる操作を行う際に、水の抵抗が小さくなり、水汲み作業を容易とする効果が得られる。
【０００７】
しかしながら、閉塞された開口部の両端が側方へ張り出すため、張り出した部分が、水中の障害物や岩場等と接触したり、引掛かったりすることがあり、上記欠点を完全には解消できないものであった。この開口部の張り出した部分は、特に水中の障害物や岩場等と接触しやすく、傷みが早い欠点がある。
【０００８】
一方、特許文献２に係る発明は、開口部が容器体を形成する合成樹脂シ−トより厚い厚みを有するカバ−体で覆われているため、水が汲み上げられるときカバ−体が崖や防波堤の壁面に沿って引きずり上げられても破損し難い特性を有する。また、カバ−体は、開口部の内側から外側へ湾曲状に成形されているため、破損して孔があいてもその周縁の立ち上がりが防止され、釣り糸の引っかかりが生じたり、魚を収納する時に傷を付けることを防止し、更に、カバ−体はフレ−ムとの間に間隙を有するようにフレ−ムを覆っているため、容器の開口が崖や防波堤の壁面に当たってもカバ−体が動いてより破損が防止される利点を有する。
【０００９】
しかしながら、特許文献２に係る発明は、開口部の形状が変わらないため、引紐を手繰り寄せる操作を行う際に、水の抵抗が大きくなり、水汲み作業に労を要する。
【００１０】
本発明は以上の事情に鑑みてなされたものであり、水汲み作業の際に、バケツ本体の開口部が水中の障害物や岩場等との接触や引掛かりを生じることがなく、且つ、引紐を持つ手を痛めたりバランスを崩して転倒するという危険性を、大幅に低減することができ、水の抵抗が小さい、水汲み作業性、耐久性に優れた、水汲みバケツの提供を、発明が解決しようとする課題とする。
【課題を解決するための手段】
【００１１】
本発明は、合成樹脂シートで形成され上端に開口部を有するバケツ本体と、前記開口部近傍に取着される締紐と、前記開口部を補強する補強手段とを備えた水汲みバケツにおいて、前記補強手段は、少なくとも一部に柔軟性の可撓部を有し、水の汲み上げ時において可撓部が変形して開口部が縮径状態となることを特徴とする水汲みバケツを、基本とする。
ここで、請求項に係る発明において、開口部の縮径状態とは、開口部が円形若しくは楕円形であれば、その外径寸法が小さくなる状態であり、開口部が多角形であれば、多角形の各頂点を通る円形若しくは楕円形の仮想輪郭線Ｌ（例えば、図２参照。）の直径寸法が小さくなる状態をいう。また、「補強手段」は、水汲みバケツのバケツ本体とは別部材であってもよいし、バケツ本体を形成する合成樹脂シートで構成されるものであってもよいし、また、これらの両方を含むものであってもよい。
【００１２】
また、本発明は、上記発明の構成を前提として、補強手段は、棒状の枠材と可撓部となる可撓性管体とを備え、枠材と可撓性管体との連結構成が、前記棒状の枠材を前記可撓性管体の穴内に嵌合した構成である水汲みバケツを、課題を解決するための手段とする。
【００１３】
また、本発明は、上記基本の発明の構成を前提として、開口部は、平面視輪郭が多角形であり、補強手段は、可撓部となる可撓性線材を備え、開口部の平面視輪郭の角部を形成する可撓性線材を前記多角形を構成する一辺の中央部に達しない第一可撓性線材とし、隣り合う第一可撓性線材間に隙間を形成し、該隙間を塞ぎ且つ前記隣り合う二本の可撓性線材に沿って第二可撓性線材を配置した構成とした水汲みバケツを、課題を解決するための手段とする。尚、本発明において上記「多角形」とは、三角形、四角形を含む。
【００１４】
更に、本発明は、上記発明の構成を前提として、補強手段は、開口部を構成する構成生地の上端を折返し重合した可撓部となる可撓性重合部を備え、該可撓性重合部は一定間隔で形成される切欠部を備えた水汲みバケツ、及び、補強手段は、開口部を構成する構成生地の上端を他の構成生地で挟持重合した可撓部となる可撓性重合部を備え、該可撓性重合部は一定間隔で形成される切欠部を備えた水汲みバケツを、課題を解決するための手段とする。
【００１５】
更に、本発明は、上記発明の構成を前提として、補強手段は、開口部を構成する構成生地の上端縁部に外径方向に突出した可撓部となるエッジ部を備える水汲みバケツを、課題を解決するための手段とする。
【００１６】
更に、本発明は、上記発明の構成を前提として、エッジ部は、開口部を構成する構成生地の上端縁部を略Ｌ字状に折曲させ、当該折曲箇所の上方から略同様の構成生地を重合し固着した可撓性重合部とする水汲みバケツ、及びエッジ部は、開口部を構成する構成生地の上端縁部に略同様の構成生地を重合し固着した可撓性重合部とする水汲みバケツを、課題を解決するための手段とする。
【００１７】
更に、本発明は、上記発明の構成を前提として、開口部縁部若しくはバケツ本体を構成する構成生地に錘を備える水汲みバケツを、課題を解決するための手段とする。
【発明の効果】
【００１８】
請求項１に係る発明によれば、合成樹脂シートで形成され上端に開口部を有するバケツ本体と、前記開口部近傍に取着される締紐と、前記開口部を補強する補強手段とを備えた水汲みバケツにおいて、前記補強手段は、少なくとも一部に柔軟性の可撓部を有し、水の汲み上げ時において可撓部が変形して開口部が縮径状態となることを特徴とする水汲みバケツとしたことから、開口部の縮径状態により汲み上げ時の水の抵抗が低減されて、汲み上げ作業が非常に容易となる。また、開口部の縮径状態により、開口部が左右へ張り出すこともないので、水中の障害物や岩場等との接触や引っ掛かりを殆ど生じないものとすることができ、更には、作業者が、引紐を持つ手を痛めたりバランスを崩して転倒するという危険性を大幅に低減することができる。
【００１９】
また、補強手段を有する構成によって、上縁部が補強されているため、水汲みバケツの満水状態まで水を入れ、汲み上げた場合であっても、当該補強手段によって、常に一定の水量に調整することができるので、水汲みバケツを引き上げて載置した状態で、汲み上げた水が不用意にこぼれることもない。
【００２０】
請求項２に係る発明によれば、上記請求項１に係る発明による作用効果を奏することを前提として、補強手段は、棒状の枠材と可撓部となる可撓性管体とを備え、枠材と可撓性管体との連結構成が、前記棒状の枠材を前記可撓性管体の穴内に嵌合した構成である水汲みバケツとしたから、製造時において、補強手段の可撓性を有する範囲の設定や、材質の変更による可撓性の程度の調節等を、当該水汲み用バケツのサイズ等に応じて行うことができるため、非常に便利である。
【００２１】
請求項３に係る発明によれば、上記請求項１に係る発明による作用効果を奏することを前提として、開口部は、平面視輪郭が多角形であり、補強手段は、可撓部となる可撓性線材を備え、開口部の平面視輪郭の角部を形成する可撓性線材を前記多角形を構成する一辺の中央部に達しない第一可撓性線材とし、隣り合う第一可撓性線材間に隙間を形成し、該隙間を塞ぎ且つ前記隣り合う二本の可撓性線材に沿って第二可撓性線材を配置した構成を備えることによって、開口部の強度を保ち且つ柔軟性を有することができ、汲み上げ作業時に水の抵抗を逃すことができ、汲み上げ作業を更に容易とすることができる。
【００２２】
請求項４に係る発明によれば、上記請求項１、請求項２若しくは請求項３に係る発明による作用効果を奏することを前提として、補強手段は、開口部を構成する構成生地の上端を折返し重合した可撓部となる可撓性重合部を備え、該可撓性重合部は一定間隔で形成される切欠部を備えた構成の水汲みバケツとしたから、可撓性線材を使用しない簡単且つ安価な構成で、開口部の縮径と同時に切欠部近傍で特に柔軟性が発揮されて可撓部である可撓性重合部が撓り、水の抵抗を受け流すことによって、開口部が側方へ張り出すことなく、水の抵抗を逃すことができる。
【００２３】
請求項５に係る発明によれば、上記請求項１、請求項２若しくは請求項３に係る発明による作用効果を奏することを前提として、補強手段は、開口部を構成する構成生地の上端を他の構成生地で挟持重合した可撓部となる可撓性重合部を備え、該可撓性重合部は一定間隔で形成される切欠部を備えたから、上記請求項４よりも開口部の強度を高めた上で、可撓性線材を使用しない簡単且つ安価な構成で、開口部の縮径と同時切欠部近傍で特に柔軟性が発揮されて可撓部である可撓性重合部が撓り、水の抵抗を受け流すことによって、開口部が側方へ張り出すことなく、水の抵抗を逃すことができる。
【００２４】
請求項６乃至請求項８に係る発明によれば、上記請求項１に係る発明による作用効果を奏することを前提として、補強手段は、開口部を構成する構成生地の上端縁部に外径方向に突出した可撓部となるエッジ部を備え、当該エッジ部は、開口部を構成する構成生地の上端縁部を略Ｌ字状に折曲させ、当該折曲箇所の上方から略同様の構成生地を重合し固着した可撓性重合部とする、又は当該エッジ部は、開口部を構成する構成生地の上端縁部に略同様の構成生地を重合し固着した可撓性重合部としたことから、請求項２乃至請求項５に記載のような可撓性管体や可撓性線材を使用しないことから、自由に変形させてコンパクトに収納することができるし、可撓性管体が破損して可撓性線材が露呈する虞もない。
【００２５】
請求項９に係る発明によれば、上記請求項１乃至請求項８に係る発明による作用効果を奏することを前提として、開口部縁部若しくはバケツ本体を構成する構成生地に錘を備えたことから、錘が取着される側を着水し易くし、汲み上げ作業を容易に行うことができる。
【図面の簡単な説明】
【００２６】
【図１】本発明の実施例１に係る水汲みバケツの通常状態を示す斜視図。
【図２】本発明の実施例１に係る水汲みバケツの水汲み時における縮径状態を示す斜視図。
【図３】本発明の実施例１に係る水汲みバケツのバケツ本体と一部省略した締紐との関係を示す通常状態の平面図。
【図４】本発明の実施例１に係る水汲みバケツのバケツ本体と一部省略した締紐との関係を示す水汲み時の縮径状態の平面図。
【図５】本発明の実施例１に係る水汲みバケツの開口部に使用する補強手段（枠材及び可撓性管体）を示す（ａ）通常状態の一部拡大平面図、（ｂ）水汲み時の縮径状態の一部拡大平面図。
【図６】本発明の実施例２に係る水汲みバケツにおける水汲みバケツの通常状態を示す斜視図。
【図７】本発明の実施例２に係る水汲みバケツの水汲み時における縮径状態を示す斜視図。
【図８】本発明の実施例２に係る水汲みバケツのバケツ本体と一部省略した締紐との関係を示す通常状態の平面図。
【図９】本発明の実施例２に係る水汲みバケツのバケツ本体と一部省略した締紐との関係を示す縮径状態の平面図。
【図１０】本発明の実施例２に係る水汲みバケツの開口部に使用する補強手段（枠材及び可撓性管体）を示す（ａ）通常状態の一部拡大平面図、（ｂ）水汲み時の縮径状態の一部拡大平面図。
【図１１】本発明の実施例３に係る水汲みバケツの通常状態を示す斜視図。
【図１２】本発明の実施例３に係る水汲みバケツの水汲み時における縮径状態を示す斜視図。
【図１３】本発明の実施例３に係る錘を省略したバケツ本体と一部省略した締紐との関係を示す通常状態の平面図。
【図１４】本発明の実施例３に係る錘を省略したバケツ本体と一部省略した締紐との関係を示す水汲み時の縮径状態の平面図。
【図１５】本発明の実施例３に係るバケツ本体の開口部に使用する補強手段を示す（ａ）通常状態の一部拡大平面図、（ｂ）水汲み時の縮径状態の一部拡大平面図。
【図１６】本発明の実施例４に係るバケツ本体の通常状態を示す斜視図。
【図１７】本発明の実施例４に係るバケツ本体の上端に補強部を形成する状態を示す組立説明図。
【図１８】本発明の実施例４に係るバケツ本体の水汲み時における縮径状態を示す斜視図。
【図１９】本発明の実施例４に係る水汲みバケツの通常状態におけるバケツ本体と締紐との関係を示す横断面図。
【図２０】本発明の実施例４に係る水汲みバケツの水汲み状態におけるバケツ本体と締紐との関係を示す横断面図。
【図２１】本発明の実施例５に係る水汲みバケツのバケツ本体を示す正面図。
【図２２】本発明の他の実施例に係る水汲みバケツの通常状態を示す斜視図。
【図２３】本発明の実施例６に係るバケツ本体の通常状態を示す斜視図。
【図２４】本発明の実施例６に係るバケツ本体の周壁部の一部省略拡大断面図。
【図２５】本発明の実施例６に係るバケツ本体の補強手段を形成する（ａ）補強片を切断前の一部省略拡大断面図、（ｂ）補強片を切断後の一部省略拡大断面図。
【図２６】本発明の実施例６に係るバケツ本体における別加工の周壁部の一部省略拡大断面図。
【図２７】本発明の実施例６に係るバケツ本体における別加工の補強手段を形成する（ａ）周壁部及び補強片を切断前の一部省略拡大断面図、（ｂ）周壁部及び補強片を切断後の一部省略拡大断面図。
【図２８】本発明の実施例６に係るバケツ本体の別仕様の通常状態を示す斜視図。
【図２９】本発明の実施例６に係る水汲みバケツの別仕様のバケツ本体と一部省略した締紐との関係を示す通常状態の平面図。
【発明を実施するための形態】
【００２７】
本発明は、ＥＶＡ（エチレン−酢酸ビニル樹脂）シートで形成され上部に開口するバケツ本体と、前記開口部近傍に取着される締紐と、前記開口部を補強する補強手段とを備えた水汲みバケツにおいて、補強手段の少なくとも一部に柔軟性を有する可撓部を有し、水の汲み上げ時に引紐を手繰り寄せることで、水の重量と締紐による牽引により可撓部が変形して開口部が縮径状態となり、汲み上げ時の水の抵抗が低減されて、汲み上げ作業が非常に容易となり、開口部の縮径状態により、開口部が左右へ張り出すこともないので、水中の障害物や岩場等との接触や引っ掛かりを殆ど生じない、安全性の高い、優れた水汲みバケツを実現した。
【実施例１】
【００２８】
図１は、本発明の実施例１に係る水汲みバケツ１の通常状態を示す斜視図、図２は同実施例１に係る水汲みバケツ１の水汲み時における縮径状態を示す斜視図、図３は同実施例１に係るバケツ本体１０と一部省略した締紐２との関係を示す通常状態の平面図、図４は同実施例１に係るバケツ本体１０と一部省略した締紐２との関係を示す水汲み時の縮径状態の平面図、図５は同実施例１に係るバケツ本体１０の開口部１１に使用する補強手段１２（枠材１４０及び可撓性管体１３０）を示す（ａ）通常状態の一部拡大平面図、（ｂ）水汲み時の縮径状態の一部拡大平面図である。
【００２９】
本発明の実施例１に係る水汲みバケツ１は、平面視矩形輪郭を有するバケツ本体１０と、バケツ本体１０の上端の開口部１１近傍に取着した二本の締紐２と、該二本の締紐２間に介在した紐状の把手３と該把手３の中央に一端を連結した引紐４とを備える。
【００３０】
バケツ本体１０は、図１及び図５（ａ）に示すように、矩形の底板部１００と該底板部１００の各辺に隣接する前後左右の壁部（前壁部１０１、後壁部１０２、左壁部１０３、右壁部１０４）を有し、上端に開口部１１を形成してある。開口部１１の縁には後記詳説する補強手段１２を備える。また、前記開口部１１の縁の一箇所に、一般に水汲みバケツに使用される錘５を取着してある。これにより、錘５が取着される開口部１１を着水し易くすることができる。バケツ本体１０の構成生地は合成樹脂シートであるＥＶＡを用いている。各壁部の上縁側には間隔をあけて紐通し穴１６を設けてある。紐通し穴１６はバケツ本体１０を貫通している。紐通し穴１６は前記締紐２をバケツ本体１０へ取着する手段として機能する。
【００３１】
開口部１１の補強手段１２は、可撓性管体１３０と金属製の棒状の枠材１４０を備えている。開口部１１の各角部には可撓性管体１３０を配置し、各可撓性管体１３０間には、枠材１４を配置する。枠材１４の各端部は可撓性管体１３０の端面の穴１３８に差込んで固定してある（図５（ａ）参照。）可撓性管体１３０及び枠材１４０は、バケツ本体１０の構成生地で包持し、開口部１１に取着し、折り返して重合した本体生地をウェルダ加工により固着した構成である。以上によって、補強された開口部１１の四隅に、柔軟性を有する可撓部１３を形成し、開口部１１の他の部分を柔軟性を殆ど有しない非可撓部１４とした構成となる。
【００３２】
本実施例１に係る水汲みバケツ１の締紐２は、図１及び図２に示すように、長手中央で二つ折りした状態で結び目２０ａを形成して該結び目２０ａから二つ折り部分までの間に亘って輪２０ｄを形成した状態とする。
【００３３】
図３及び図４に示すように、二本の締紐２のうち一本は、左壁部１０３に設けた二つの紐通し穴１６に対して、締紐２の各端部を外側から通し、締紐２の一方の端部は最も近い位置にある前壁部１０１の紐通し穴１６に内側から通して外側で結び目２０ｂを形成してある。また、当該締紐２の他方の端部は最も近い位置にある後壁部１０２の紐通し穴１６に内側から通して外側で結び目２０ｃを形成してある。
【００３４】
同様に、二本の締紐２のうち他方の一本は、右壁部１０４に設けた二つの紐通し穴１６に対して、締紐２の各端部を外側から通し、締紐２の一方の端部は最も近い位置にある前壁部１０１の紐通し穴１６に内側から通して外側で結び目２０ｂを形成してある。また、当該締紐２の他方の端部は最も近い位置にある後壁部１０２の紐通し穴１６に内側から通して外側で結び目２０ｃを形成してある。
結び目２０ｂ、２０ｃはいずれも紐通し穴１６の直径よりも大きい幅寸法とすることで、紐通し穴１６から締紐２が抜けない状態を保つ。
【００３５】
以上の構成とした実施例１に係る水汲みバケツ１は、水中に投下した後、引紐４を引くことによって、図２に示すように、把手３を介して締紐２が引き上げられ、前壁部１０１の上部及び後壁部１０２の上部が隣接する右壁部１０４の上部及び左壁部１０３の上部と近接して、開口部１１の幅を狭め、図５（ｂ）に示すように、開口部１１全体が縮径した状態となる。可撓部１３は図４に示すように、平面視において一見開口部１１から外側へ突出した形状となるが、図１及び図３に示す通常状態と比べて縮径した状態が確保されている。
【実施例２】
【００３６】
図６は本発明の実施例２に係る水汲みバケツ１の通常状態を示す斜視図、図７は同実施例２に係る水汲みバケツ１の水汲み時における縮径状態を示す斜視図、図８は同実施例２に係るバケツ本体１０と一部省略した締紐２との関係を示す通常状態の平面図、図９は同実施例２に係るバケツ本体１０と一部省略した締紐２との関係を示す水汲み時の縮径状態の平面図、図１０は同実施例２に係るバケツ本体１０の開口部１１に使用する補強手段１２を示す（ａ）通常状態の一部拡大平面図、（ｂ）水汲み時の縮径状態の一部拡大平面図である。
【００３７】
本発明の実施例２に係る水汲みバケツ１は、平面視八角形状を有するバケツ本体１０と、バケツ本体１０の開口部１１近傍に取着した二本の締紐２と、該二本の締紐２間に介在した紐状の把手３と該把手３の中央に一端を連結した引紐４とを備える。
【００３８】
本実施例２におけるバケツ本体１０は、図６及び図１０（ａ）に示すように、矩形の底板部１００と該底板部１００の各辺に隣接する前後左右及びこれらの間に壁部（前壁部１０１、後壁部１０２、左壁部１０３、右壁部１０４、左前壁部１０５、左後壁部１０６、右前壁部１０７、右後壁部１０８）を有し、上端に開口部１１を形成してある。
【００３９】
図６に示すように、開口部１１の八辺のうち交互に現れる四本の短辺（即ち、左前壁部１０５、左後壁部１０６、右前壁部１０７、右後壁部１０８の上端となる辺）は、柔軟性を有する可撓部１３としている。また、他の四辺（即ち、前壁部１０１、後壁部１０２、左壁部１０３、右壁部１０４の上端となる辺）は、非可撓部１４としてある。
【００４０】
本実施例２に係る可撓部１３及び非可撓部１４は、図１０に示すように、実施例１と同様の可撓性管体１３０と金属製の棒状の枠材１４０で構成し、枠材１４０の各端部は可撓性管体１３０の端面の穴１３８に差込んで固定してある（図１０（ａ）参照。）。また、本実施例２に係る可撓性管体１３０及び枠材１４０は、実施例１と同様に、バケツ本体１０の構成生地で包持し、折り返して重合した本体生地をウェルダ加工により固着した構成である。
【００４１】
本実施例２においては、壁部のうち、左壁部１０３、右壁部１０４、左前壁部１０５、左後壁部１０６、右前壁部１０７、右後壁部１０８の各上端側の中央に鳩目１５を各１個ずつ設けてある。
【００４２】
本実施例２に係る水汲みバケツ１の締紐２は、実施例１に係る締紐２と同様のものを用いている。二本の締紐２のうち一本は、左壁部１０３に設けた鳩目１５に対して、締紐２の各端部を外側から通し、締紐２の一方の端部は最も近い位置にある左前壁部１０５の鳩目１５に内側から通して外側で結び目２０ｂを形成してある。また、当該締紐２の他方の端部は最も近い位置にある左後壁部１０６の鳩目１５に内側から通して外側で結び目２０ｃを形成してある。
【００４３】
同様に、二本の締紐２のうち他方の一本は、右壁部１０４に設けた鳩目１５に対して、締紐２の各端部を外側から通し、締紐２の一方の端部は最も近い位置にある右前壁部１０７の鳩目１５に内側から通して外側で結び目２０ｂを形成してある。また、当該締紐２の他方の端部は最も近い位置にある右後壁部１０８の鳩目１５に内側から通して外側で結び目２０ｃを形成してある。
【００４４】
以上の構成とした実施例２に係る水汲みバケツ１は、水中に投下した後、引紐４を引くことによって、図７に示すように、把手３を介して締紐２が引き上げられ、左前壁部１０５、左後壁部１０６、右前壁部１０７、右後壁部１０８が図７及び図９に示すように、内側へ潜り込み、対向する左壁部１０３と右壁部１０４が相対的に近接され、また、左前壁部１０５と左後壁部１０６が引き寄せられ且つ右前壁部１０７と右後壁部１０８が引き寄せられることで、前壁部１０１と後壁部１０２も相対的に近接された状態となって、開口部１１全体を縮径させた構成となる。
【実施例３】
【００４５】
図１１は本発明の実施例３に係る水汲みバケツ１の通常状態を示す斜視図、図１２は同実施例３に係る水汲みバケツ１の水汲み時における縮径状態を示す斜視図、図１３は同実施例３に係る錘５を省略したバケツ本体１０と一部省略した締紐２との関係を示す通常状態の平面図、図１４は同実施例３に係る錘５を省略したバケツ本体１０と一部省略した締紐２との関係を示す水汲み時の縮径状態の平面図、図１５は同実施例３に係るバケツ本体１０の開口部１１に使用する補強手段１２を示す（ａ）通常状態の一部拡大平面図、（ｂ）水汲み時の縮径状態の一部拡大平面図である。
【００４６】
本発明の実施例３に係る水汲みバケツ１は、図１１及び図１５（ａ）に示すように、バケツ本体１０が、矩形の底板部１００と該底板部１００の各辺に隣接する前後左右の壁部（前壁部１０１、後壁部１０２、左壁部１０３、右壁部１０４）を有し、上端に開口部１１を形成してあり、引紐４、把手３、締紐２を備える点で実施例１に係る水汲みバケツ１と共通する。
本実施例３に係る水汲みバケツ１は、開口部１１を補強する補強手段１２、及び締紐２を用いた縮径構造が、実施例１及び実施例２と相違する。
【００４７】
本実施例３に係る水汲みバケツ１の開口部１１における補強手段１２は、図１１、図１２及び図１５に示すように、全て柔軟性を有する可撓性線材１３１から構成する。本実施例３における可撓性線材１３１のうち、開口部１１の各角部に設けられる可撓性線材１３１を第一可撓性線材１３２とし、隣り合う第一可撓性線材１３２間に配置する可撓性線材１３１を第二可撓性線材１３３とする。
【００４８】
第一可撓性線材１３２は、図１５（ａ）に示すように、通常状態において、開口部１１の矩形輪郭を形成すべく、概ね９０°の開き角度で「く」の字状に形成してある。隣り合う第一可撓性線材１３２は互いに接触せず、該第一可撓性線材１３２間に隙間１３４を形成している。
【００４９】
また、同図１５（ａ）に示すように、第一可撓性線材１３２の内側に沿い、且つ隣り合う第一可撓性線材１３２間の隙間１３４を塞いで第二可撓性線材１３３を配置している。第二可撓性線材１３３は通常状態では直線状であり、その両端は、開口部１１の角部には達しない構成である。これらの可撓性線材は、実施例１及び実施例２と同様に、バケツ本体１０の構成生地で包持し、折り返して重合した本体生地をウェルダ加工により固着した構成である。
【００５０】
一方、本実施例３に係る水汲みバケツ１は、左壁部１０３及び右壁部１０４の上縁側中央に夫々鳩目１５を有し、前壁部１０１及び後壁部１０２の上縁には夫々二箇所に鳩目１５を備えている。
【００５１】
締紐２は、実施例１及び実施例２に係る締紐２と同様のものを用いている。図１１及び図１３に示すように、二本の締紐２のうち一本は、左壁部１０３に設けた鳩目１５に対して、締紐２の各端部を外側から通し、締紐２の一方の端部は最も近い位置にある前壁部１０１の鳩目１５に内側から通して外側で結び目２０ｂを形成してある。また、当該締紐２の他方の端部は最も近い位置にある後壁部１０２の鳩目１５に内側から通して外側で結び目２０ｃを形成してある。
【００５２】
同様に、二本の締紐２のうち他方の一本は、右壁部１０４に設けた鳩目１５に対して、締紐２の各端部を外側から通し、締紐２の一方の端部は最も近い位置にある前壁部１０１の鳩目１５に内側から通して外側で結び目２０ｂを形成してある。また、当該締紐２の他方の端部は最も近い位置にある後壁部１０２の鳩目１５に内側から通して外側で結び目２０ｃを形成してある。
【００５３】
以上の構成とした実施例３に係る水汲みバケツ１は、水中に投下した後、引紐４を引くことによって、図１２及び図１４に示すように、把手３を介して締紐２が引き上げられ、前壁部１０１、後壁部１０２、左壁部１０３、右壁部１０４の各上端側の中央から内側へ入り込み、各上端角部もこれに伴って内側へ移動し、開口部１１全体を縮径させた構成となる。
【実施例４】
【００５４】
図１６は本発明の実施例４に係るバケツ本体１０の通常状態を示す斜視図、図１７は同実施例４に係るバケツ本体１０の上端に補強部を形成する状態を示す組立説明図、図１８は同実施例４に係るバケツ本体１０の水汲み時における縮径状態を示す斜視図、図１９は同実施例４に係る水汲みバケツ１の通常状態におけるバケツ本体１０と締紐２との関係を示す横断面図、図２０は同実施例４に係る水汲みバケツ１の水汲み状態におけるバケツ本体１０と締紐２との関係を示す横断面図である。
【００５５】
本発明の実施例４に係る水汲みバケツ１は、有底円筒状のバケツ本体１０と、引紐４、把手３、締紐２を備える。本実施例４に係る水汲みバケツ１は、バケツ本体１０に取付ける補強部材１２が、全体として可撓性を有する点で実施例３と共通する。一方、可撓性管体１３０や可撓性線材１３１を使用しない点で上記実施例１乃至実施例３と相違する。
【００５６】
本実施例４に係る水汲みバケツ１における開口部１１の構成を、図１７に示す。
補強部材１２の構成生地は、合成樹脂シートで形成される。短手中央を長手方向に連続する折目を境界として二重に折曲されたテープ状の両端を連結した構成である。一定間隔で上下幅の大きい部分である幅広部１３６が形成してあり、隣り合う幅広部１３６間の中央位置に下方から切欠部１３７を形成してある。切欠部１３７を形成した位置は、当該補強部材の上下幅が著しく小さい幅狭部１３５となる。
【００５７】
当該図１７に示すように、本実施例４におけるバケツ本体１０の周壁部１０９の上縁を、補強手段１２である二重の生地で挟持した状態で取着し、ウェルダ加工で一体とする。一箇所の幅広部１３６当たり二個の鳩目１５を取着し、上縁に設けられた鳩目１５に順次締紐２を通した構成とする（図１６参照。）。
締紐２は両端部を結んで強固に連結する。
【００５８】
上記構成によって、周壁部１０９のうち上縁側に幅狭部１３５を形成した部位は高い可撓性を有し、周壁部１０９のうち上縁側に幅広部１３６を形成した部位は可撓性が低くなる。
このため、実施例４に係る水汲みバケツ１は、水中に投下した後、引紐４を引くことによって、図１８及び図２０に示すように、把手３を介して締紐２が引き上げられ、周壁部１０９のうち上縁側に幅狭部１３５を形成した部位が襞を形成し、周壁部１０９のうち上縁側に広幅部を形成した部位は締紐２によって内側へ絞られた構成となり、全体として開口部１１を縮径した構成とすることができる。
【実施例５】
【００５９】
次に、本発明の実施例５に係る水汲みバケツ１を図２１に示し、併せて説明する。
本実施例５に係る水汲みバケツ１は、実施例４に係る水汲みバケツ１と同様の有底円筒状のバケツ本体を有し、その上端の補強手段として、可撓性環体や可撓性線材等を備えず、専ら二重の生地で構成される補強部材を備えた点で、実施例４に係る水汲みバケツと共通する。
【００６０】
また、本実施例５に係る水汲みバケツ１における補強部材は、周壁部から上方に延設した上端を、図２１の左右上方に示した矢印のように、外側下方へ折り返して強度を確保した構成である。本構成においても、上記実施例４と同様に、周壁部１０９のうち上縁側に広幅部を形成した部位は締紐２によって内側へ絞られた構成となり、全体として開口部１１を縮径した構成とすることができる。
【００６１】
一定間隔で上下幅の大きい部分である幅広部１３６が形成してあり、隣り合う幅広部１３６間の中央位置に下方から切欠部１０９ａを形成してある。切欠部１０９ａを形成した位置が、当該補強部材の上下幅が著しく小さい幅狭部１３５となる。
【実施例６】
【００６２】
図２３は本発明の実施例６に係るバケツ本体１０の通常状態を示す斜視図、図２４は本発明の実施例６に係るバケツ本体１０の周壁部１０９の一部省略拡大断面図、図２５は、本発明の実施例６に係るバケツ本体１０の補強手段１２を形成する（ａ）補強片１０９ｂを切断前の一部省略拡大断面図、（ｂ）補強片１０９ｂを切断後の一部省略拡大断面図、図２６は、本発明の実施例６に係るバケツ本体における別加工の周壁部の一部省略拡大断面図、図２７は、本発明の実施例６に係るバケツ本体における別加工の補強手段を形成する（ａ）周壁部及び補強片を切断前の一部省略拡大断面図、（ｂ）周壁部及び補強片を切断後の一部省略拡大断面図、図２８は、本発明の実施例６に係るバケツ本体の別仕様の通常状態を示す斜視図、図２９は、本発明の実施例６に係る水汲みバケツの別仕様のバケツ本体と一部省略した締紐との関係を示す通常状態の平面図である。
【００６３】
本発明の実施例６に係る水汲みバケツ１は、有底円筒状のバケツ本体１０と、引紐４、把手３、締紐２を備える。本実施例６に係る水汲みバケツ１は、バケツ本体１０に取付ける補強部材１２が、全体として可撓性を有する点で実施例３乃至実施例５と共通する。一方、可撓性管体１３０や可撓性線材１３１を使用しない点で上記実施例１乃至実施例３と相違する。
【００６４】
本実施例６に係る水汲みバケツ１における開口部１１の補強手段１２の構成生地は、実施例４及び実施例５と同様にして、合成樹脂シートで形成される。当該補強手段１２は、開口部１１の上端縁部より外径方向に突出して形成される。
【００６５】
詳細には、図２５（ａ）に示すように、周壁部１０９の上端縁部を外径方向に略Ｌ字状に折曲した後、略Ｌ字状に折曲した上方から同等の生地で形成される補強片１０９ｂを載置し、公知の熱溶着手段若しくは高周波等によって両者を固着する。その後、同図（ａ）におけるカットラインＰにて開口部１１の内外を切断することで、同図（ｂ）に示すように、切断片を余剰片１０９ｃとして除去することで、図２４に示すように、開口部１１の上端縁部より外径方向に突出し、可撓性を有するエッジ部を形成することができる。
【００６６】
このようにして形成されたエッジ部は、実施例４及び実施例５におけるウェルダ加工で一体化したものと比較して、ウェルダ加工上に生じ易い皺等が発生するのを防止することができ、意匠性を向上することができる。また、可撓性管体１３０や可撓性線材１３１を使用しないことから、自由に変形させてコンパクトに収納することができるし、可撓性管体１３０が破損することにより可撓性線材１３１が露呈する虞もない。
【００６７】
以上の構成とした実施例６に係る水汲みバケツ１は、水中に投下した後、引紐４を引くことによって、把手３を介して締紐２が引き上げられ、周壁部１０９の上縁側に形成されたエッジ部は締紐２によって内側へ絞られた構成となり、全体として開口部１１を縮径した構成とすることができる。
【００６８】
更に、実施例６における水汲みバケツ１と略同様の効果を奏する加工方法と異なる加工法を採用することもできる。詳細には、図２７（ａ）に示すように、周壁部１０９の外周部に同等の生地で形成される補強片１０９ｂを配置し、周壁部１０９の外側方向から公知の熱溶着手段若しくは高周波等によって両者を固着する。その後、同図（ａ）におけるカットラインＰにて開口部１１の径方向に切断することで、同図（ｂ）に示すように、切断片を余剰片１０９ｃとして除去することで、図２６に示すように、開口部１１の上端縁部より外径方向に突出するエッジ部を形成することができる。当該加工法は、上記の加工法と比較して切断する生地を少なくすることができるので、生産コストを低減でき望ましい。開口部１１における上端縁部の強度は、補強片１０９ｂの厚み、幅等によって調整することができる。当該実施例においては、錘５は周壁部１０９の上端側に取着される。
【００６９】
また、実施例６における補強手段１２は、図２８及び図２９に示すように、外形を略四角形状としたバケツ本体１００に採用することもできるし、略多角形状とすることもできる。
【００７０】
尚、本発明は上記実施例１乃至実施例６において、締紐２、把手３、引紐４の三種の紐を用いた構成を示したが、本発明は上記実施例に限定されるものではなく、必ずしも締紐２、把手３、引紐４の三種の紐を用いる必要はない。例えば、把手３を有さず締紐２と引紐４を直接連結することもできる。また、前記把手３は紐状のものに限らず、金属製の線材等とすることもできる。即ち、把手３自体が変形しなくても、引紐４を引くことで、締紐２が開口部１１を締める構成が実現できればよい。
【００７１】
また、本実施例で示した結び目２０ｂ、２０ｃは紐の抜止めとして最も安価で容易に実施できる手段として示したものであり、紐の抜け止め手段は、結び目２０ｂ、２０ｃに限定するものではない。紐の抜止めとしての機能を有するものであれば、前記結び目２０ｂ、２０ｃに代えて例えば、公知の抜止め用の金具等を用いることもできる。
【００７２】
また、締紐２、把手３、引紐４の相互の連結手段においては、上記実施例のように結び目２０ａによるものに限らない。即ち、紐状体相互の連結手段としては、金属製環体等を介在させたり、或いは雌雄のバックル等の公知の紐体の連結手段を適宜用いることができる。
【００７３】
更に、本発明によれば、実施例１ではバケツ本体１０に締紐２を取着するために紐通し穴１６を設け、鳩目１５を使用しない構成としたが、例えば、図２２に他の実施例として示したように、紐通し穴１６の箇所に適宜鳩目１５を設けた構成とすることもできる。また、実施例２乃至実施例６では鳩目１５を設けているが、同旨の通り、鳩目１５に代えて紐通し穴１６とすることもできる。また、実施例１乃至実施例３のいずれの場合にも、実施例４に示すように、幅広部１３６や幅狭部１３５、切欠部１３７を設けることもできる。
【００７４】
また、本発明によれば、可撓性管体としては、例えば、合成ゴム製管体や合成樹脂製管体等とすることができる。また、枠材としては、針金や合成樹脂製線材、合成ゴム製線材を含む。また、枠材は常に直線状である必要はなく、例えば、円弧状等とすることもできる。
【符号の説明】
【００７５】
１        水汲みバケツ
１０      バケツ本体
１００    底板部
１０１    前壁部
１０２    後壁部
１０３    左壁部
１０４    右壁部
１０５    左前壁部
１０６    左後壁部
１０７    右前壁部
１０８    右後壁部
１０９    周壁部
１０９ａ  切欠部
１０９ｂ  補強片
１０９ｃ  余剰片
１１      開口部
１３      可撓部
１３０    可撓性管体
１３１    可撓性線材
１３２    第一可撓性線材
１３３    第二可撓性線材
１３４    隙間
１３５    幅狭部
１３６    幅広部
１３７    切欠部
１３８    穴
１４      非可撓部
１４０    枠材
１５      鳩目
１６      紐通し穴
２        締紐
２０ａ    結び目
２０ｂ    結び目
２０ｃ    結び目
２０ｄ    輪
３        把手
４        引紐
５        錘
Ｌ        仮想輪郭線
Ｐ        カットライン
【図１】
2010149926.tif 000003
【図２】
2010149926.tif 000004
【図３】
2010149926.tif 000005
【図４】
2010149926.tif 000006
【図５】
2010149926.tif 000007
【図６】
2010149926.tif 000008
【図７】
2010149926.tif 000009
【図８】
2010149926.tif 000010
【図９】
2010149926.tif 000011
【図１０】
2010149926.tif 000012
【図１１】
2010149926.tif 000013
【図１２】
2010149926.tif 000014
【図１３】
2010149926.tif 000015
【図１４】
2010149926.tif 000016
【図１５】
2010149926.tif 000017
【図１６】
2010149926.tif 000018
【図１７】
2010149926.tif 000019
【図１８】
2010149926.tif 000020
【図１９】
2010149926.tif 000021
【図２０】
2010149926.tif 000022
【図２１】
2010149926.tif 000023
【図２２】
2010149926.tif 000024
【図２３】
2010149926.tif 000025
【図２４】
2010149926.tif 000026
【図２５】
2010149926.tif 000027
【図２６】
2010149926.tif 000028
【図２７】
2010149926.tif 000029
【図２８】
2010149926.tif 000030
【図２９】
2010149926.tif 000031